(57)【特許請求の範囲】
【請求項１】
２つの物体（１，２）を結合するための結合手段において、ワンパック型の好気性の接着剤（３）を有しており、該接着剤（３）によって前記２つの物体（１，２）が結合される前に、前記接着剤（３）に、調量された湿気が供給され、それによって前記２つの物体（１，２）が互いに接着される際に前記湿気が混入された接着剤（３）が硬化するものであって、
前記接着剤（３）に、液体が収容された複数のカプセルが混入されており、これらのカプセルが機械的な接触により破壊されることによって、カプセル内に収容された液体が接着剤（３）と接触するようになっており、
前記カプセルが、前記接着剤（３）を撹拌するための手段によって破壊されるようになっており、
前記カプセルが、前記接着剤（３）の外装又は補強部を形成している、
ことを特徴とする、結合手段。
【請求項２】
前記接着剤（３）によって接続される前記２つの物体（１，２）の接触面が、拡散防止されている、請求項１記載の結合手段。
【請求項３】
前記接着剤（３）の体積全体に湿気が混合されている、請求項２記載の結合手段。
【請求項４】
前記接着剤（３）の体積領域及び／又は表面領域に湿気が混合されている、請求項２記載の結合手段。
【請求項５】
ワンパック型の好気性の前記接着剤（３）が、ポリマーをベースとした接着剤である、請求項１から４までのいずれか１項記載の結合手段。
【請求項６】
ワンパック型の好気性の前記接着剤（３）が、シランのＭＳポリマーより成る接着剤、又はシラン系ポリマーをベースとした接着剤、又はハイブリッドポリマーをベースとした接着剤より形成されている、請求項５記載の結合手段。
【請求項７】
ワンパック型の好気性の前記接着剤（３）に供給された湿気が水である、請求項１から６までのいずれか１項記載の結合手段。
【請求項８】
ワンパック型の好気性の前記接着剤（３）に供給された湿気が親水性の液体より形成されている、請求項１から７までのいずれか１項記載の結合手段。
【発明の詳細な説明】
【技術分野】
【０００１】
本発明は、一般的に２つの物体を固定するためのワンパック型（一液型）の接着剤によって形成された結合手段に関する。接着剤は２つの物体の接触面間にもたらされるようになっている。
【０００２】
このような形式のワンパック型、つまり一液型の接着剤は、特にポリマーをベースとした接着剤によって形成されている。このような接着剤の一般的な問題は、この接着剤が、拡散防止された（diffusionsdicht）２つの面間にもたらされ、それによってもはや周囲空気と十分に接触しないようになった時に、接着剤が硬化しなくなるか又は不十分な硬化しか得られなくなる、という点にある。
【０００３】
したがって従来では、このようなワンパック型の接着剤においては、物体の少なくとも一方の接触面、つまり接着剤が塗布される方の接触面が拡散防止処理されていて、それによってこの接触面を介して接着剤と周囲空気との接触が得られるようにすることによってのみ、十分な接着作用が得られる。
【０００４】
このような形式の、空気と接触することにより硬化が促進される好気性（aerober）の接着剤を、組立システムを構成するために使用することは、国際公開第０３／０３６１６号明細書により公知である。
【０００５】
この組立システムは、タオル掛け、棚、照明器具等の物体を、特にタイル、大理石板等の壁の化粧仕上げを備えたスペースの壁、天井等の面に定置に取り付けるために用いられる。この組立システムは、種々異なる形式の結合手段より成っていて、好気性の接着剤としての接着及び接続手段を備えている。
【０００６】
結合手段は、物体を保持するための部材を支持するために使用され、ベース体を有していて、該ベース体は、壁に向いた裏側に、切欠と、該切欠内に開口する充填開口とを有しており、この充填開口を介して、好気性の接着剤が結合部材と壁との間にもたらされるようになっている。
【０００７】
結合手段は、切欠内にもたらされる接着剤によって押し退けられる空気を押し出すために、少なくとも１つの液体及び気体を通すための開口を有しており、この開口は、切欠からさらに結合手段の表面まで達していて、過剰な接着剤を収容するようになっている。
【０００８】
ベース体の、壁に向いた裏側は、少なくとも部分的に液体及び気体を通すようになっていて、切欠内に存在する接着剤が硬化する際に発生するガスを漏れ出させるか、若しくは抜け出した触媒を発散させると同時に、周囲空気を接着剤に到達させ、それによって接着剤を硬化させ、結合手段を壁に、負荷に耐えられるように頑丈に固定するように配慮する。
【０００９】
しかしながらこの公知の構成においては、ベース体の構造のために非常に高価な追加費用を必要とし、特に結合手段の自由な構成の妨げになる。
【００１０】
本発明の課題は、２つの物体のための、頑丈でフレキシブルに使用することができ、しかも物体に対する構造的な干渉を必要としない結合手段を提供することである。
【００１１】
この課題は、請求項１に記載した特徴によって解決された。有利な実施態様及び変化実施例は、従属請求項に記載されている。
【００１２】
本発明の結合手段は、２つの物体を固定するために用いられ、ワンパック型の好気性の接着剤を有していて、この接着剤によって２つの物体が結合される前に、この接着剤に、調量された湿気が供給されるようになっている。湿気が混入された接着剤は、物体が互いに接着される際に硬化される。
【００１３】
この場合、結合手段という概念は、一般的に、シール機能としての接着剤の機能も含んでいる。
【００１４】
液体特に水を、接着剤に調量して提供することによって、特に簡単に、２つの物体間の同品質の堅固な結合が得られる。何故ならば、接着剤は、液体を添加することによって完全に硬化するからである。水の代わりに、接着剤に、特にエマルジョン（乳濁液）状の親水性の液体を供給してもよい。
【００１５】
液体が全接着剤に供給されるか又は接着剤の一部の領域にだけ供給されるかに応じて、液体添加によって生ぜしめられる接着剤の硬化が、特に表面領域で、接着剤の体積全体において行われるか又は接着剤の部分領域だけにおいて行われる。
【００１６】
重要なことは、本発明による結合手段は、調量された湿気つまり液体特に水が、接着剤によって２つの物体の接触面が結合される前に、供給されるということである。湿気が多すぎると、接着剤の接着作用は機能しなくなり、これに対して湿気がすくなすぎると、接着剤の硬化は不十分になる。
【００１７】
本発明の主要な利点は、湿気を添加することによって、接着剤は、物体の接触面間で、周囲の影響を受けることなしに、また物体の構造とは無関係に、同品質で繰り返し可能に硬化され、それによって物体間の堅固な結合が得られる、という点にある。
【００１８】
特に、本発明による結合手段によって、拡散防止された接触面を有する物体も結合される。何故ならば、湿気を添加することによって、接着剤は内部から硬化するからである。従って周囲から湿気を供給する必要はない。
【００１９】
２つの物体の少なくとも一方が拡散可能な接触面を有する２つの物体を結合する場合においても、本発明による結合手段は多くの利点を提供する。
【００２０】
この場合、湿気は周囲空気から拡散可能な接触面を介して接着剤に達し、それによって硬化が開始される。周囲条件、特に温度及び空気湿度に基づいて、周囲からの湿気は、接着剤を硬化させるためには不十分なことがあるが、接着過程の直前に接着剤に供給された湿気は、繰り返し可能な高品質の硬化を保証する。しかも、接着剤が硬化するのに必要な反応時間は、本発明に従って湿気を添加することによって短縮される。
【００２１】
本発明の結合手段によれば、湿気を含有する接着剤の体積反応によって、従来技術において公知のシステムにおけるように、薄い接着剤塗布による接着を実施することができるだけではなく、むしろ緊密な接着層を実現することができる。従って、接着剤を挿入することなし、接着剤を中空室、中間室、アンダカット領域等にもたらすだけで、種々異なる形状及び材料の物体を互いに結合することができる。
【００２２】
本発明の特に有利な実施例によれば、湿気を供給するために、液体をしみ込ませたへらが設けられており、この場合、へらは有利には木製である。
【００２３】
この場合、主要な利点は、このような木製のへらが、液体特に水を吸い込むことによって、限定的であるが繰り返し得られる同品質の湿気量を吸収することができる、という点にある。このような湿気量は、接着剤に湿気を供給するための非常に良好な調量を提供する。従って、へらによって接着剤を撹拌することによって、不慣れな作業員でも迅速、かつ簡単に接着剤に適当に調量された量の湿気を供給することができる。
【００２４】
湿気の調量をコントロールして供給するためのその他の可能性は、接着剤に、液体が収容された複数のカプセルが混入されており、これらのカプセルが機械的な接触により破壊されることによって、カプセル内に収容された液体が接着剤と接触するようになっている、という点にある。
【００２５】
有利な形式で、カプセルは、接着剤を撹拌するための手段によって破壊されるようになっている。
【００２６】
従ってこの場合、調量された液体供給は、不慣れな作業員でも実施することができる。この場合、有利には、カプセルが、接着剤の外装又は補強部を形成している。つまり接着層の形状安定性が高められる。
【００２７】
選択的に、接着剤が、湿気貯蔵手段として貯蔵粒を有しているので、この貯蔵粒を介して、調量された湿気を接着剤に供給することができる。
【００２８】
また、接着剤に、１つの調量手段によって共通に湿気が供給されるようになっている。
【００２９】
本発明による結合手段を形成するための、ワンパック型の好気性の接着剤として、特にポリマーをベースとした接着剤が適しており、特に有利にはシランのＭＳポリマーが使用される。選択的に、シラン系ポリマー又はハイブリッドポリマーをベースとした接着剤を使用してもよい。
【００３０】
以下に図面を用いて本発明を説明する。
【図面の簡単な説明】
【００３１】
【図１】好気性接着剤と調量された湿気とから成る本発明による結合部材によって、２つの物体を結合する状態を示す概略的な断面図である。
【図２】接着剤に湿気を添加するための装置の概略的な斜視図である。
【図３】図３ａは、湿気を添加することによって完全に硬化した接着剤層として構成された本発明による結合手段の断面した概略的な斜視図、図３ｂは、従来技術による、不完全に硬化された接着剤層の例を示す断面した概略的な斜視図である。
【００３２】
図１は、接着剤３より成る層として構成された結合手段によって互いに堅固に結合された２つの物体を概略的に示す。
【００３３】
物体１，２は、図示の実施例では接着剤層を完全に包囲しており、この場合、物体１，２の接触面は拡散防止（diffusinsdicht）されている。第１の物体１は、例えば浴室等の壁部のタイルとして使用される。第１の物体２は、中空円筒形の固定部材によって形成され、この固定部材は、結合手段によってタイルと結合され、次いで混合水栓、タオル掛け又はその他の装備品に固定することができる。
【００３４】
本発明による固定手段は、ワンパック型（一液型）の好気性の接着剤３より成っており、この接着剤３が物体１，２間の中間室内に挿入される前に、この接着剤３に、調量された湿気、図示の実施例では水が調量供給されている。
【００３５】
ワンパック型の好気性の接着剤３は、図示の実施例ではシランのＭＳポリマーより成る接着剤より形成されている。選択的に、接着剤３は、ポリマー例えばシラン系ポリマー又はハイブリッドポリマーベースとしたその他の接着剤より成っていてよい。
【００３６】
図２は、ワンパック型の好気性の接着剤３に湿気を調量するための装置４の実施例を示す。この装置４は、中空円筒形の容器５を有しており、該容器５内に接着剤３が貯蔵されている。容器５は、その下側が底部によって密閉されている。容器５の開放した上側は蓋６によって閉じられており、この蓋６は容器５の開口内に回転可能に支承されている。蓋６にはスリット７が設けられている。このスリット７を通じて、図２に示されているように、木製のへら８の前端部を容器５内に挿入することができる。へら８の後端部は容器５から突き出している。
【００３７】
へら８は水を含んでいる。これによってへら８内に含まれる水は、へら８を回転、上昇及び下降させることによって均一に、容器５内に配置された接着剤３に分配される。これによって、接着剤３の体積全体に亘って調量された湿気が供給される。次いで、接着剤３は、物体１，２間の中間室内にもたらされる。
【００３８】
容器５からへら８を引き抜く際に、スリット７を有する蓋６は、へら８に付着した接着剤３を掻き取ることができる掻き取り器として働く。つまり、図２に示した装置４は、準備された接着剤３を接着箇所にもたらすことができる注入器としても使用することができる。
【００３９】
接着剤３に隣接する、物体１，２の接触面が拡散防止されていて、外部からの湿気の供給は不可能であるにも拘わらず、接着剤３内に含まれる湿気によって、接着剤３は、物体１，２間の中間室内において完全に硬化することができる。
【００４０】
図３ａは、物体１，２間において体積全体が硬化した接着剤層の概略的な断面図を示す。これに対して、図３ｂは、物体１，２間に挿入される前に接着剤３に湿気が供給されていない、ワンパック型の好気性の接着剤３より成る、従来技術による、完全に硬化していない接着剤層を示す。図３ｂの従来技術においては、物体１，２によって接着剤３が包囲されているので、さらなる硬化は阻止される。
【００４１】
図２に示した装置４の代わりに、接着剤３に、液体が収容された複数のカプセルを混合してもよい。この場合、複数のカプセルは機械的な接触によって破壊されるので、カプセル内に収容された液体が接着剤３と接触することになる。
【００４２】
選択的に、接着剤３は、湿気貯蔵手段としての貯蔵粒を有していてもよい。
【００４３】
いずれの選択的な実施例においても、有利には、接着剤層の体積全体に湿気が混入される。
【００４４】
接着剤層の領域、特に接着剤層の表面領域だけに湿気を混合したい場合、最も簡単には、湿ったスポンジが調量ユニットとして使用され、この調量ユニットによって、接着剤層の表面領域だけに湿気が調量されるようになっている。
【符号の説明】
【００４５】
１，２  物体、  ３  好気性の接着剤、  ４  接着剤３に湿気を調量するための装置、  ５  容器、  ６  蓋、  ７  スリット、  ８  へら
【図１】
0005780972.tif 000002
【図２】
0005780972.tif 000003
【図３ａ】
0005780972.tif 000004
【図３ｂ】
0005780972.tif 000005